(57)【特許請求の範囲】
【請求項１】
帯体の所定位置に空気を充填することにより膨張するバルーンを取り付けた圧迫止血用ベルトにおけるバルーンの製造方法において、
ウレタンエラストマーシートを重ね、前記バルーンを象った周縁部を熱融着させたのち、該熱融着した周縁部の融着痕に沿って切り取ることにより前記バルーンを製造することを特徴とする圧迫止血用ベルトにおけるバルーンの製造方法。
【請求項２】
前記バルーン及び該バルーンへの空気を供給する空気供給管を象った周縁部を熱融着させることにより、前記バルーンに前記空気供給管を一体形成したことを特徴とする請求項１に記載の圧迫止血用ベルトにおけるバルーンの製造方法。
【請求項３】
帯体の所定位置に空気を充填することにより膨張するバルーンを取り付けた圧迫止血用ベルトにおけるバルーンの製造方法において、
重ねた２枚のウレタンエラストマーシートにポリエチレンシートと塩化ビニールシートを順に重ね、前記バルーン及び該バルーンへの空気を供給する空気供給管を象った電極を押し当てて高周波を照射し、前記ウレタンエラストマーシートを熱融着させたのち、該熱溶着した部分の融着痕に沿って切り取ることにより、前記空気供給管を一体形成した前記バルーンを製造することを特徴とする圧迫止血用ベルトにおけるバルーンの製造方法。
【発明の詳細な説明】
【技術分野】
【０００１】
本発明は圧迫止血用ベルトにおけるバルーンの製造方法に関するものである。
【背景技術】
【０００２】
心臓や脳血管等の造影診断のために、最近動脈カテーテル検査が行なわれるようになっている。心臓カテーテル検査は、少数例として切開方式で行なう場合もあるが、殆ど大部分はカテーテルを鼠蹊部の大腿動静脈から心臓に向けて進行させる、所謂カテーテル穿刺法（セルジンガー法）によって行なわれている。
【０００３】
この検査方式では、大腿動静脈に穿刺したカテーテルを通して造影剤や各種の薬剤を注入したり、エンポリゼーション、術前・術後の各種検査をしたりするものであるが、検査終了後、鼠蹊部の大腿動静脈からのカテーテルの抜去によるカテーテル挿入傷口からの出血を防止するため、相当長時間に亘って傷口を圧迫して止血する必要がある。
【０００４】
斯かる傷口の圧迫止血手段として、特許２５４５６７８号、特許２５９１８７９号、特許２５９１８８０号、特許３１９２１９１号、特許３３０２１８２号、特許３３４２５３８号などにおいて、圧迫止血用ベルトが提案されている。
【０００５】
圧迫止血用ベルトは、非伸縮性もしくは低伸縮性の繊維或いはフィルム等からなる帯体の所定位置にバルーンを取り付けたものである。バルーンは逆止弁を有する空気供給管が取り付けてあり、例えば、手動操作式のポンプおよび圧力計を必要に応じて接続して、ポンプを操作することによって空気をバルーンに充填してバルーンを膨張させるようになっている。
【０００６】
この圧迫止血用ベルトは、カテーテルを抜き取り穿刺部の一次止血を行った後、穿刺部にガーゼを当て、絆創膏でガーゼを止め、ガーゼの上に圧迫止血用ベルトのバルーンを押し当て、帯体を太腿部及び腰部に巻きつけて固定し、ポンプによりバルーン内に空気を送り、バルーンを膨らまして、穿刺部を圧迫して止血するものである。
【特許文献１】特許２５４５６７８号
【特許文献２】特許２５９１８７９号
【特許文献３】特許２５９１８８０号
【特許文献４】特許３１９２１９１号
【特許文献５】特許３３０２１８２号
【特許文献６】特許３３４２５３８号
【発明の開示】
【発明が解決しようとする課題】
【０００７】
バルーンについては、空気を充填して膨張させる構造であるが、通常のゴムを用いて製造する場合、製造工程において中空に成形する必要があり、その型抜きが難しく、安価に量産化することは難しい。また、バルーンはガーゼを介してではあるが、患部に長時間当てられるものであるため、ゴムアレルギーの症状を生じさせないものが好ましい。
【課題を解決するための手段】
【０００８】
本発明は、帯体の所定位置に空気を充填することにより膨張するバルーンを取り付けた圧迫止血用ベルトにおけるバルーンの製造方法において、ウレタンエラストマーシートを重ね、バルーンを象った周縁部を熱融着させたのち、該熱融着した周縁部の融着痕に沿って切り取ることによりバルーンを製造する製造方法を提供する。バルーン及び該バルーンへの空気を供給する空気供給管を象った周縁部を熱融着させることにより、バルーンに空気供給管を一体形成することもできる。また、重ねた２枚のウレタンエラストマーシートにポリエチレンシートと塩化ビニールシートを順に重ね、バルーン及び該バルーンへの空気を供給する空気供給管を象った電極を押し当てて高周波を照射し、ウレタンエラストマーシートを熱融着させたのち、該熱溶着した部分の融着痕に沿って切り取ることにより、空気供給管を一体形成したバルーンを製造するようにしても良い。
【発明の効果】
【０００９】
本発明のバルーンの製造方法は、ウレタンエラストマーシートを重ね、バルーン（又は空気供給管を一体に備えたバルーン）を象った周縁部を熱融着させたのち、該熱融着した周縁部の融着痕に沿って切り取ることにより、バルーンを製造するものであるから、安価に、かつ、多量に製造することが容易であり、量産化が可能である。また、ウレタンエラストマーを用いているので、患部にゴムアレルギーの症状を生じさせない。
【発明を実施するための最良の形態】
【００１０】
以下、本発明の一実施形態に係る圧迫止血用ベルトを図面に基づいて説明する。
【００１１】
圧迫止血用ベルト１０は、図１に示すように、帯体１１と、バルーン１２で構成している。
【００１２】
帯体１１は、非伸縮性もしくは低伸縮性の繊維或いはフィルムで形成しており、人体の足及び腰に巻きつけるのに十分な長さを備えている。この実施形態では、帯体１１には綿１００％の不織布を使用しており、図２に示すように、中間の所定位置にバルーン１２を取り付けるため穴１３を形成している。また、帯体１１の両端には、係止テープを取り付けている。
【００１３】
バルーン１２は、ウレタンエラストマーシートを重ね周縁部を熱融着させたものである。この実施形態では、図３に示すように、ウレタンエラストマーシートを重ね、バルーン１２及びバルーン１２への空気を供給する空気供給管１４を象った周縁部１５に沿って、ウレタンエラストマーシートを熱融着させて、バルーン１２及びバルーン１２への空気を供給する空気供給管１４を一体形成している。
【００１４】
バルーン１２の製造は、図４に示すように、ウレタンエラストマーシート２１、２２を２枚重ね、剥離用シート２３と、発熱用シート２４を順に重ねてその上からバルーン１２及びバルーン１２への空気を供給する空気供給管１４を象った周縁部１５に沿って高周波を照射している。これにより、バルーン１２及びバルーン１２への空気を供給する空気供給管１４を象った周縁部において２枚のウレタンエラストマーシート２１、２２を熱融着させている。
【００１５】
発熱用シート２４は、高周波を照射することにより、発熱し易いシート材であり、この実施形態では、塩化ビニールシート２４を用いている。また、剥離用シート２３はウレタンエラストマーシート２１、２２と発熱用シート２４がくっ付くのを防止するものであり、この実施形態では、ポリエチレンシート２３を用いている。
【００１６】
図４に示すように、２枚のウレタンエラストマーシート２１、２２、ポリエチレンシート２３、塩化ビニールシート２４の順に重ねた積層体に、バルーン１２及びバルーン１２への空気を供給する空気供給管１４を象った電極２５、２６を押し当て、高周波発生装置２７より高周波を照射する。
【００１７】
この際、発熱用シートとしての塩化ビニールシート２４は、高周波が照射されることにより発熱し易く、２枚重ねたウレタンエラストマーシート２１、２２は、塩化ビニールシート２４において生じた熱を受けて加熱される。これによりバルーン１２及びバルーン１２への空気を供給する空気供給管１４を象った周縁部１５に沿って熱融着される。この際、ウレタンエラストマーシート２１、２２と塩化ビニールシート２４の間に、剥離用シートとしてポリエチレンシート２３を挟んでいるので、ウレタンエラストマーシート２１、２２が塩化ビニールシート２４に熱融着することはない。
【００１８】
また、上記のように熱融着処理した際に、ウレタンエラストマーシート２１、２２が熱融着した外周縁部に沿って、ウレタンエラストマーシート２１、２２の表面に融着痕が入る。このため積層した塩化ビニールシート２４及びポリエチレンシート２３をウレタンエラストマーシート２１、２２から剥がすと、ウレタンエラストマーシート２１、２２は融着痕に沿って、バルーン１２及びバルーン１２への空気を供給する空気供給管１４を象った形状にきれいに切り取られる。このため、バルーン１２及び空気供給管１４の周縁部をトリミングする作業を省略することができる。
【００１９】
バルーン１２は、図１に示すように、硬質ケース３１に収容して帯体１１に取り付ける。硬質ケース３１は図５（ａ）〜（ｃ）に示すように、合成樹脂などの硬質部材で片側が開口したお碗形状に形成したものであり、この実施形態では、ポリプロピレン樹脂で成形している。お碗形状の側面には、図５（ｂ）に示すように、バルーン１２に一体形成した空気供給管１４を挿通させる挿通穴３２が形成されている。また、お碗形状の底部の裏面には、図５（ｃ）に示すように、帯体１１の両端部をそれぞれ係止するバッグル４１（図６（ａ）（ｂ）参照）を回動自在に取り付けるための爪３３を突設している。
【００２０】
この実施形態では、お碗形状の硬質ケース３１の中央に穴３４を形成し、裏面において、穴３４の周囲４箇所に爪３３を突設させている。また、爪３３の周囲には、バッグル４１を脱着する際に、硬質ケース３１の底部が弾性変形し易いように、切欠き穴３５を設けている。
【００２１】
バッグル４１は、図６（ａ）（ｂ）に示すように、中央部に硬質ケース３１の裏側に突設した爪３３が嵌着する穴４２を形成している。バッグル４１の両端部４３、４４は、中央部から斜めに跳ね上がった形状であり、図８（ｃ）に示すように、帯体１１の両端部１１ａ、１１ｂを挿通して係止するスリット４５、４６を形成している。この実施形態では、図６（ａ）に示すように、スリット４５、４６の端面にギザギザの突起４５ａ、４６ａを設けており、突起４５ａ、４６ａを帯体１１に食い込ませて、帯体１１の係止力を高めている。
【００２２】
この圧迫止血用ベルト１０は、図７に示すように、帯体１１の中間の所定位置に形成した穴１３に、硬質ケース３１の裏面に突設した爪３３を挿入し、硬質ケース３１を取り付けた側の反対側から、硬質ケース３１の爪３３に、バッグル４１の穴４２を装着している。これにより、バッグル４１を帯体１１に対して回動自在に取り付けている。また、バルーン１２は、空気供給管１４を硬質ケース３１の側面に形成した挿通穴３２に挿通して、硬質ケース３１に収容するとともに、空気供給管１４の先端に逆止弁５０を取り付けている。
【００２３】
以下、上記圧迫止血用ベルトの身体への使用要領を説明する。
【００２４】
先ず、図８（ａ）に示すように、カテーテルの穿刺部を一次止血を行った後、穿刺部にガーゼ６１をあて絆創膏で軽く止める。そして、図８（ｂ）に示すように、ガーゼ６１の上に圧迫止血用ベルト１０のバルーン１２を当て、図８（ｃ）に示すように、しわが生じないように帯体１１を患者６２の足及び腰に巻きつけ、帯体１１の両端１１ａ、１１ｂをバッグル４１のスリット４５、４６に挿入し、図８（ｄ）に示すように、帯体１１の両端を帯体１１にテープ４７、４８で固定する。
【００２５】
そして、空気供給管１４の逆止弁５０に加圧器５１（図１参照）を取り付け、バルーン１２内の気圧が所定の圧力になるように、空気を供給する。
【００２６】
この圧迫止血用ベルト１０は、バルーン１２が、ウレタンエラストマーシート２１、２２を重ね周縁部１５を熱融着させたものであるから、安価に、かつ、多量に製造することが容易であり、量産化が可能である。また、ウレタンエラストマーを用いているので、患部にゴムアレルギーの症状を生じさせないことが好ましい。また、圧迫止血用ベルト１０、特にバルーン１２はガーゼを介してであるが、患者の患部に触れるものであるから、衛生上、使い捨てにすることが望ましいが、上述したように、比較的安価に量産できるから、低コスト化を図ることができる。
【００２７】
また、バルーン１２及びバルーン１２への空気を供給する空気供給管１４を、ウレタンエラストマーシート２１、２２を重ね周縁部１５を熱融着させて一体形成したので、空気供給管１４を別体とする場合に比べて、安価であり、組み付け作業が容易であり、また、使用中に不測の事象により、空気供給管１４がバルーン１２から外れるなどの不具合が生じないので安全性も向上する。
【００２８】
以上、本発明の一実施形態に係る圧迫止血用ベルトを説明したが、本発明に係る圧迫止血用ベルトは上記の実施形態に限定されるものではない。
【００２９】
例えば、硬質ケース３１やバッグル４１の形状や構造は、上記のものに限定されない。また、バルーン１２の周縁部の熱融着方法も上述した方法に限定されず、例えば、剥離用シート２３としてポリエチレンシートを用い、発熱用シート２４として塩化ビニールシートを用いたが、剥離用シート２３及び発熱用シート２４はそれぞれ同様の作用を奏するシート材を転用することができるので、これに限定されるものではない。
【図面の簡単な説明】
【００３０】
【図１】本発明の一実施形態に係る圧迫止血用ベルトを示す平面図。
【図２】本発明の一実施形態に係る圧迫止血用ベルトの帯体を示す平面図。
【図３】本発明の一実施形態に係る圧迫止血用ベルトのバルーンを示す平面図。
【図４】本発明の一実施形態に係る圧迫止血用ベルトのバルーンの製造方法を示す概略図。
【図５】（ａ）は本発明の一実施形態に係る圧迫止血用ベルトの硬質ケースの平面図、（ｂ）はその縦断側面図、（ｃ）はその底面図である。
【図６】（ａ）は本発明の一実施形態に係る圧迫止血用ベルトのバッグルの平面図、（ｂ）はその縦断側面図である。
【図７】本発明の一実施形態に係る圧迫止血用ベルトの縦断側面図。
【図８】（ａ）〜（ｄ）はそれぞれ本発明の一実施形態に係る圧迫止血用ベルトの使用要領を示す図である。
【符号の説明】
【００３１】
１０   圧迫止血用ベルト
１１   帯体
１２   バルーン
１３   穴
１４   空気供給管
１５   周縁部
２１   ウレタンエラストマーシート
２３   ポリエチレンシート（剥離用シート）
２４   塩化ビニールシート（発熱用シート）
２５   電極
２７   高周波発生装置
３１   硬質ケース
３２   挿通穴
３３   爪
４１   バッグル
４２   穴
４５、４６    スリット
５０   逆止弁
５１   加圧器
【図１】
0004429989.tif 000002
【図２】
0004429989.tif 000003
【図３】
0004429989.tif 000004
【図４】
0004429989.tif 000005
【図５】
0004429989.tif 000006
【図６】
0004429989.tif 000007
【図７】
0004429989.tif 000008
【図８】
0004429989.tif 000009